(57)【要約】【課題】コンテナの大きな改造なしに、また、外部やコンテナ内に大がかりな装置を設けることなく、機械化することで、人手での荷役作業をなくすことができ、これにより、コンテナの荷役作業者の高齢化、及び作業効率の向上にも対応でき、しかも、荷降ろし作業のみならず荷の積み込み作業も楽に行うことができる。【解決手段】コンテナ外殻である箱体１０内に設ける荷排出もしくは荷積みの荷役装置として、底部にシリンダーにより前後動可能とした床板１３を配置し、この床板１３上に、係止時には床板１３のみが移動し、移動時には床板１３とともに移動する可動隔壁１２を設けた荷役装置付きコンテナにおいて、箱体１０は、観音開きの扉１を設けた排出口１１を荷の排出口とし、これとは別個に荷の積込み口２を箱体１０の上部または側部に形成する。【選択図】        図１
2004149138.tif 000002
【特許請求の範囲】
【請求項１】
コンテナ外殻である箱体内に設ける荷排出もしくは荷積みの荷役装置として、底部にシリンダーにより前後動可能とした床板を配置し、この床板上に、係止時には床板のみが移動し、移動時には床板とともに移動する可動隔壁を設けた荷役装置付きコンテナにおいて、箱体は、後部の扉を設けた排出口を荷の排出口とし、これとは別個に荷の積込み口を箱体の上部または側部に形成することを特徴とした荷役装置付きコンテナ。
【請求項２】
荷の積込み口は箱体前部に形成する請求項１記載の荷役装置付きコンテナ。
【請求項３】
コンテナ外殻である箱体内に設ける荷排出もしくは荷積みの荷役装置として、底部にシリンダーにより前後動可能とした床板を配置し、この床板上に、係止時には床板のみが移動し、移動時には床板とともに移動する可動隔壁を設けた荷役装置付きコンテナにおいて、箱体は、後部の扉を設けた排出口を荷の排出口とし、荷の積込み口はこの荷の排出口の近傍の箱体上部に形成することを特徴とした荷役装置付きコンテナ。
【請求項４】
一端を可動隔壁に固定し、該可動隔壁から床板端から出る位置にまで床板上に可撓性の敷物を敷設し、荷はその敷物の上に載置する請求項３記載の荷役装置付きコンテナ。
【請求項５】
コンテナ外殻である箱体内に設ける荷排出もしくは荷積みの荷役装置として、底部にシリンダーにより前後動可能とした床板を配置し、この床板上に、係止時には床板のみが移動し、移動時には床板とともに移動する可動隔壁を設けた荷役装置付きコンテナにおいて、箱体は後端を、観音開きの扉を設けた排出口を荷の排出口とし、さらに、この排出口を荷の積込み口として下部に荷の後退を阻止するストッパーを設けたことを特徴とする荷役装置付きコンテナ。
【発明の詳細な説明】
【０００１】
【発明の属する技術分野】
本発明は、コンテナの大きな改造なしに、また、外部やコンテナ内に大がかりな装置を設けることなく、コンテナ内にパレットなしで隙間なく積込まれた荷の荷降ろし作業または荷積み作業を機械化することができ、人手での荷卸しという重作業をなくすことができ、これにより、コンテナの荷降ろしや荷積み作業者の高齢化、及び作業効率の向上にも対応できる荷役装置付きコンテナに関するものである。
【０００２】
【従来の技術】
近年、輸送費や包装費の低減、輸送期間の短縮、荷痛みの防止等の点からコンテナ輸送が増加している。しかし、コンテナは箱型で、ほとんどのコンテナは、出入口が後端１ケ所であるため、荷の積み込み、積み降ろしにクレーン等が使用できない。しかも積載効率を高くしたり荷崩れ防止のため、荷はパレットに乗っていないバラ積み状態で、隙間がなく積んである。このため、荷の移送運搬には、コンベヤやフォークリフト等が使用できるが、荷の取り崩しは手作業に頼っている。
【０００３】
コンテナの荷降ろし作業はコンテナ内の荷をコンテナ外へ移送運搬する作業が必要であるが、チップ等のバラ物では人手に頼る作業となることが多く、重作業であり、作業安全上好ましくない。特に近年の作業者の高齢化にともない、腰痛対策から腰を痛める作業をなくした荷役装置が必要である。従来この条件に合うものとしてクレーンがあるが、コンテナには取付困難また作業スピードが遅いといった欠点がありコンテナには使用されていない。
【０００４】
荷の積み卸しを行う荷役装置付きコンテナとして、発明者は先に下記の出願を行った。
【０００５】
【特許文献１】
特願２０００−３０７７１３号（特開２００２−１１４２９０号）
【０００６】
これは図１１に示すように、コンテナ外殻である箱体１０内に、荷排出装置として前後方向に移動する可動隔壁１２、もしくはこれに加えて、可動隔壁１２の下方に敷設する前後動可能とした床板１３を設けたものである。
【０００７】
前記特許文献１では、前記可動隔壁１２は床板１３とは支持板１２ａが接するだけで載置されており、多段伸縮のいわゆるテレスコピックシリンダー１４を箱体１０との間に設けて、このテレスコピックシリンダー１４により前後方向に移動可能とした。一方、床板１３と箱体１０との間には往復運動するシリンダー１５を設け、このシリンダー１５で床板１３を前後方向に動かせるようにする。
【０００８】
シリンダー１５により床板１３を前後方向に動かし、第１段階として、床板１３が荷の排出口１１の方向（往路方向）に移動する場合には床板１３上の荷もこれにより運ばれるようにともに移動する。また、テレスコピックシリンダー１４を伸長させて可動隔壁１２を床板１３と同期させて荷排出口１１の方向（往路方向）に移動させる。
【０００９】
次に、第２段階として、テレスコピックシリンダー１４を固定することで可動隔壁１２を固定して荷をその場に止め、シリンダー１５により床板１３のみを反荷排出口方向（復路方向）に移動させる。以下、前記第１段階、第２段階を順次、繰り返して、可動隔壁１２および荷を荷排出口１１へと移動させ、荷排出口１１から荷をコンテナ外へ排出する。
【００１０】
なお、箱体１０に対して可動隔壁１２を固定する固定手段１６として前記テレスコピックシリンダー１４に代えて、図１２に示すように箱体１０の側板上に設け、一方可動隔壁１２の上部左右端に係止突起１７ａに掛止する振り子式またはシーソー式のロックバー１７ｂを設けて構成してもよい。
【００１１】
一方、荷積みの荷役装置に備える場合は、可動隔壁１２は一番後ろの位置にあるものを前に位置に移動させる。可動隔壁１２を箱体１０側に係止して積み荷の前端部を抑えながら床板１３を後方に押し、次いで、可動隔壁１２と箱体１０側との係止を解除して、前記積み荷を床板１３とともに前方へ移動させ、およびその後の動作として、前記床板１３のみの移動、および可動隔壁１２と床板１３との同行を繰り返して順次、前側に移動させる。
【００１２】
このようにコンテナは荷役装置を備えるものであり、チップ等のバラ物を始めとして、コンテナ内にパレットなしで隙間がなく積込まれた荷の荷降ろし作業を機械化することができる。そして、コンテナは外殻である箱体内に荷排出装置もしくは荷積み装置として前後方向に移動する可動隔壁を設けていて、荷排出の場合はこの可動隔壁でチップその他の荷を荷排出口方向に移動させ、コンテナ外へ排出でき、荷積みの場合はこの可動隔壁で荷を奥側に送り込み、コンテナの大きな改造なしに、また、外部に大がかりな装置を設けることなくコンテナ内にパレットなしで隙間がなく積まれた荷の荷降ろし作業を機械化することが可能となる。
【００１３】
【発明が解決しようとする課題】
前記特許文献１の荷役装置付きコンテナでは、コンテナの通例としてとして箱体１０には荷排出口１１が後端面に設けられているだけであり、荷積みの場合もこの荷排出口１１から荷を積み込むものである。
【００１４】
バラ物以外の個体は、一般にパレットなる台の上に載せて、フォークリフトで積み込むことになるが、荷排出口１１は限定されたスペースであり、高さ合わせもしなければならず作業が面倒である。また、バラ物においてはパレットによる積み込みが出来ないので、パワーショベルその他によることになるが、荷排出口１１に合わせるのがより困難である。
【００１５】
また、荷の積み込みに関しては自動化ができず、前記のように可動隔壁１２を箱体１０の前側に移動させて空所を確保し、荷排出口１１から順次積み込むだでで送りが困難である。
【００１６】
本発明の目的は前記従来例の不都合を解消し、コンテナの大きな改造なしに、また、外部やコンテナ内に大がかりな装置を設けることなく、機械化することで、人手での荷役作業をなくすことができ、これにより、コンテナの荷役作業者の高齢化、及び作業効率の向上にも対応でき、しかも、荷降ろし作業のみならず荷の積み込み作業も楽に行うことができる荷役装置付きコンテナを提供することにある。
【００１７】
【課題を解決するための手段】
本発明は前記目的を達成するため、第１に、コンテナ外殻である箱体内に設ける荷排出もしくは荷積みの荷役装置として、底部にシリンダーにより前後動可能とした床板を配置し、この床板上に、係止時には床板のみが移動し、移動時には床板とともに移動する可動隔壁を設けた荷役装置付きコンテナにおいて、箱体は、後部の扉を設けた排出口を荷の排出口とし、これとは別個に荷の積込み口を箱体の上部または側部に形成することを要旨とするものである。
【００１８】
第２に、荷の積込み口は箱体前部に形成することを要旨とするものである。
【００１９】
第３に、コンテナ外殻である箱体内に設ける荷排出もしくは荷積みの荷役装置として、底部にシリンダーにより前後動可能とした床板を配置し、この床板上に、係止時には床板のみが移動し、移動時には床板とともに移動する可動隔壁を設けた荷役装置付きコンテナにおいて、箱体は、後部の扉を設けた排出口を荷の排出口とし、荷の積込み口はこの荷の排出口の近傍の箱体上部に形成すること、および、一端を可動隔壁に固定し、該可動隔壁から床板端から出る位置にまで床板上に可撓性の敷物を敷設し、荷はその敷物の上に載置することを要旨とするものである。
【００２０】
第４に、コンテナ外殻である箱体内に設ける荷排出もしくは荷積みの荷役装置として、底部にシリンダーにより前後動可能とした床板を配置し、この床板上に、係止時には床板のみが移動し、移動時には床板とともに移動する可動隔壁を設けた荷役装置付きコンテナにおいて、箱体は後端を、観音開きの扉を設けた排出口を荷の排出口とし、さらに、この排出口を荷の積込み口として下部に荷の後退を阻止するストッパーを設けたことを要旨とするものである。
【００２１】
請求項１記載のの本発明によれば、コンテナは荷役装置を備えるものであり、チップ等のバラ物を始めとして、コンテナ内にパレットなしで隙間なく積まれた荷の荷降ろし作業を機械化することができる。そして、コンテナは外殻である箱体内に荷排出装置もしくは荷積み装置として前後方向に移動する可動隔壁を設けていて、荷排出の場合はこの可動隔壁でチップその他の荷を荷排出口方向に移動させ、コンテナ外へ排出でき、荷積みの場合はこの可動隔壁で荷を奥側に送り込み、コンテナの大きな改造なしに、また、外部に大がかりな装置を設けることなくコンテナ内にパレットなしで隙間なく積まれた荷の荷降ろし作業または荷積み作業を機械化することが可能となる。
【００２２】
そして箱体は、観音開きの扉を設けた排出口としての荷排出口の他に、これとは別個に荷の積込み口を箱体の上部または側部に形成することで、コンテナに荷を積み込んで内部へ送る場合にこの荷の積込み口を介して楽に積み込むことができる。上部に積込み口を形成した場合には、上方からの投入が可能となり、クレーンやショベルの活用が期待できる。また、積込み口を側部に形成した場合は広く形成することも可能であり、ホークリフトやショベル等を箱体の横方向から向かわせることができるので積み込み易い。
【００２３】
請求項２記載の本発明によれば、前記作用に加えて、荷の積込み口は箱体前部に形成することで、前方から入れて後方に送り、先に入れたものから降ろす、いわゆる先入れ、先出しでより効率のよい荷役作業を行うことができる。
【００２４】
請求項３記載の本発明によれば、荷降ろしの場合は前記請求項１と同様であるが、積み込みの場合は、荷の排出口の近傍の箱体上部に形成する荷の積込み口を介して上方からの投入が可能となり、クレーンやシャベルの活用が期待できる。
【００２５】
請求項４記載の本発明によれば、積み込んだに荷を送る場合に、排出口の観音開きの扉を閉じておけば、これが係止板として作用して順次その前に荷を充填して送り込んでいくことができるが、その際に積み荷は一端を可動隔壁下部に固定した敷物の上に載置するので、可動隔壁を固定しておけば、荷も床板上で動いてしまうことはなく、また、この敷物は可撓性なので床板から外へ出た分はたれ下がり、荷降ろしの際に、床板の端から荷が落下するのに支障となることはない。
【００２６】
請求項５記載の本発明によれば、荷降ろしの場合は前記請求項１と同様であるが、積み込みの場合は、観音開きの扉を設けた排出口を排出口を荷の積込み口として、下部に荷の後退を阻止するストッパーにより順次その前に荷を充填して送り込んでいくことができる。
【００２７】
【発明の実施の形態】
以下、図面について本発明の実施の形態を詳細に説明する。図１は本発明の荷役装置付きコンテナの第１実施形態を示す斜視図、図２は同上動作説明図で、前記従来例を示す図１１、図１２と同一構成要素には同一参照符号を付したものである。
【００２８】
図中１２はコンテナ外殻である箱体を示し、前端板１０ａ、側板１０ｂ等からなるもので、この箱体１０の後端を荷の排出口１１としている。また、排出口１１には観音開きによる開閉式の扉１がある。
【００２９】
なお、屋根材１０ｃは有る場合と無い場合の両方があるが、有る場合には、前記観音開きの扉１を設けた排出口である排出口１１の他に、開閉ハッチ３による荷の積込み口２を箱体１０の前方で、かつ、上部面に形成した。
【００３０】
箱体１０内に、荷排出装置もしくは荷積み装置として前後方向に移動する可動隔壁１２を設け、さらに、可動隔壁１２の下方に敷設する前後動可能とした床板（スライドプレート）１３を敷設した点は前記従来例と同じであるが、積込み口２の位置としては、箱体１０内でその前方に可動隔壁１２が移動できるスペース分を確保したものである。
【００３１】
可動隔壁１２は鋼製で、箱体１０が直方体であるとして、排出口１１に平行する向きで、配置される。また、床板１３も鋼製もしくはステンレス製で、比較的薄いものでよい。
【００３２】
前記可動隔壁１２は床板１３上に底面が接するだけで載置されており、一方、床板１３と箱体１０との間には往復運動するシリンダー（図示せず、図１１、図１２参照）を設け、このシリンダーで床板１３を前後方向に動かせるようにする。
【００３３】
また、箱体１０に対して可動隔壁１２を固定する固定手段としては、特に限定はなく、前記図１１に示すようにテレスコピックシリンダー１４による場合や、図１２に示すように、ラック部とこのラック部に一方向にのみ係止されるカムによる場合、もしくは、ピン等による固定、または、レール状の突条部とこれに対するチャック機構によるもの、その他である。
【００３４】
次に使用法について説明する。図２ａ）に示すように、箱体１０への荷の積み込みは、積込み口２から行う。これは、箱体１０の上部から床板１３上に積み込めるので、クレーンやショベル等で行うこともでき、また、バラ物でも上方から落とし込むだけでよい。
【００３５】
固定手段で可動隔壁１２を固定した状態で、床板１３を後方へ移動させれば、その分投入した荷も床板１３と共に後方に移動し、その分荷と可動隔壁１２との間に隙間ができるので、新たな荷を積み込む。（図２ｂ）、ｃ））
【００３６】
次いで、可動隔壁１２を固定した状態で、床板１３を前方へ移動し（図２ｄ））、さらに床板１３を後方へ移動させれば（図２ｅ））、その分投入した荷も床板１３と共に後方に移動し、その分荷と可動隔壁１２との間に隙間ができるので、さらに新たな荷を積み込む。
【００３７】
このようにして、順次荷の積み込み、送り込みを繰り返して、箱体１０内に充満させる。（図２ｆ））
【００３８】
積んだ状態で荷降ろしをする場合は、コンテナである箱体１０内に積み荷があるとして、排出口１１は開放する。また、可動隔壁１２は前端板１０ａに近い位置にあり、この状態で固定して置く。
【００３９】
シリンダーを伸長すれば床板１３が前端板１０ａ側から後端へ向けて移動し、この床板１３の積み荷および可動隔壁１２もその分だけ移動する。なお、この状態では可動隔壁１２は箱体１０側に係止しておらず、可動隔壁１２には床板１３に対してともに動くものであり、積み荷を確実に送ることができる。
【００４０】
前記床板１３のスライドの結果、床板１３の後端は積み荷を載せたまま排出口１１から外へでる。
【００４１】
次に、シリンダーを縮小してそのまま床板１３を前端板１０ａ側に引く際には、可動隔壁１２は箱体１０の側に係止し、積み荷は前端部が可動隔壁１２に固定されているのでそのまま移動せず、排出口１１の外で床板１３がなくなっているので落下する。
【００４２】
積み荷を落下させたならば、可動隔壁１２を箱体１０の側に係止し、再度シリンダーを伸長して床板１３を後方へ押し出し、以後、この▲１▼床板１３の押し出し、▲２▼可動隔壁１２の係止、▲３▼床板１３の引き込み、▲４▼積み荷の落下、▲５▼可動隔壁１２の係止解除の手順を繰り返して、すべての積み荷を箱体１０外へ落下させる。
【００４３】
積み荷をすべて荷卸しした状態から、再度、荷積みに備えるには、可動隔壁１２を床板１３の前部、前端板１０ａ側に移動しておくことが必要であるが、これには、▲１▼床板１３の押出し、▲２▼可動隔壁１２の係止解除、▲３▼床板１３の引き込み、▲４▼可動隔壁１２の係止解除の手順を繰り返して可動隔壁１２を前部へ移動させ、箱体１０内を荷積みに適する空間とする。
【００４４】
図３は本発明の第２実施形態を示すもので、開閉ハッチ３による荷の積込み口２はこれを箱体１０の側部、すなわち、側板１０ｂ側に設けた。
【００４５】
図４は動作を示すものであるが、前記第１実施形態と同じである。図中、４はパレットラックであり、荷を載置して、フォークリフト等で積み込むことができる。
【００４６】
図５は本発明の第３実施形態を示すもので、開閉ハッチ３による荷の積込み口２はこれを箱体１０の上部である排出口１１に隣接して形成した。つまり、箱体１０の後部に形成するものである。
【００４７】
動作は、積んだ状態で荷降ろしをする場合は前記第１実施形態、第２実施形態と同様であるが、荷を積み込む場合は図６に示すように、荷の積込み口２を介して投入する。その際、排出口１１の後部の扉１は閉じておき、前記第１実施形態、第２実施形態の可動隔壁１２の役割を扉１に持たせるようにした。
【００４８】
荷は扉１の前側に位置し、床板１３を押し出して後退させても扉１で係止される。次いで、床板１３を引き込んで前進させればこの床板１３とともに荷は前進し、その分閉じている扉１と前進した荷の間に空所が生じるので新た荷を投入して同様の動作を繰り返し、箱体１０内に荷を満たす。
【００４９】
なお、床板１３を押し出して後退させる際に荷がこの床板１３と共に戻ってしまうおそれがある。それを防止するには、第４実施形態として図７に示すように、一端を可動隔壁１２の下部に固定し、該可動隔壁１２から床板１３端から出る位置にまで床板１３上に可撓性の敷物５を敷設する。
【００５０】
この敷物５は、ワイヤーやチェーンで編んだネット状のもの、シート状のものであり、積み込む荷は床板１３の上でその敷物５の上に載置する。
【００５１】
また、床板１３端から出る敷物５の端は、巻き込んでおけるようにした。
【００５２】
図８に示すが、床板１３の後端部まで移動した可動隔壁１２を前部、前端部１０ａ側に移動させる動作により荷を後端部からコンテナ奥方の前端部に向けて順次移動させるものである。積み荷は敷物５の上に載置するので、可動隔壁１２とともに前方に送り込むことができる。この場合は可動隔壁１２は固定と非固定での床板１３とともにの前進を繰り返す。可動隔壁１２は固定した場合に床板１３のみを後退させるが敷物５の上にある荷は可動隔壁１２で係止され、床板１３とともに後退してしまうことはない。また、この敷物５は可撓性なので床板１３から外へ出た分はたれ下がり、荷降ろしの際に、床板１３の端から荷が落下するのに支障となることはない。
【００５３】
図９は本発明の第５実施形態を示すもので、箱体１０の後端の排出口１１を荷の積込み口とする場合である。この場合は、排出口１０の下部に荷の後退を阻止するストッパー６を設けた。このストッパー６はバーまたはワイヤーを排出口１１の下方位置で幅方向に掛け渡すことで形成できる。
【００５４】
図１０に動作を示すが、積んだ状態で荷降ろしをする場合は前記第１実施形態〜第４実施形態と同様であるが、荷を積み込む場合は、荷はストッパー６の前側に位置し、床板１３を押し出して後退させてもストッパー６で係止される。次いで、床板１３を引き込んで前進させればこの床板１３とともに荷は前進し、その分ストッパー６と前進した荷の間に空所が生じるので新た荷を投入して同様の動作を繰り返し、箱体１０内に荷を満たす。
【００５５】
【発明の効果】
以上述べたように本発明の荷役装置付きコンテナは、コンテナの大きな改造なしに、また、外部やコンテナ内に大がかりな装置を設けることなく、機械化することで、人手での荷役作業をなくすことができ、これにより、コンテナの荷役作業者の高齢化、及び作業効率の向上にも対応でき、しかも、床板と可動隔壁とをともに動かす場合に、安定した動作を確実に得ることができるものである。
【００５６】
しかも、荷降ろし作業のみならず荷の積み込み作業も楽に行うことができる。
【図面の簡単な説明】
【図１】本発明の荷役装置付きコンテナの第１実施形態を示す斜視図である。
【図２】本発明の荷役装置付きコンテナの第１実施形態での動作を示す説明面図である。
【図３】本発明の荷役装置付きコンテナの第２実施形態を示す斜視図である。
【図４】本発明の荷役装置付きコンテナの第２実施形態での動作を示す説明面図である。
【図５】本発明の荷役装置付きコンテナの第３実施形態を示す斜視図である。
【図６】本発明の荷役装置付きコンテナの第３実施形態での動作を示す説明面図である。
【図７】本発明の荷役装置付きコンテナの第４実施形態を示す斜視図である。
【図８】本発明の荷役装置付きコンテナの第４実施形態での動作を示す説明面図である。
【図９】本発明の荷役装置付きコンテナの第５実施形態を示す斜視図である。
【図１０】本発明の荷役装置付きコンテナの第５実施形態での動作を示す説明面図である。
【図１１】従来例を示す斜視図である。
【図１２】従来例における可動隔壁を固定する固定手段の他例を示す斜視図である。
【符号の説明】
１…扉                                                ２…積込み口
３…開閉ハッチ                                ４…パレットラック
５…敷物                      ６…ストッパー
１０…箱体                    １０ａ…前端板
１０ｂ…側板                    １０ｃ…屋根材
１１…排出口                                    １２…可動隔壁
１２ａ…支持板                                １２ｂ…隔壁板
１３…床板                                        １４…テレスコピックシリンダー
１５…シリンダー                            １６…固定手段
１７ａ…係止突起              １７ｂ…ロックバー
【図１】
2004149138.tif 000003
【図２】
2004149138.tif 000004
【図３】
2004149138.tif 000005
【図４】
2004149138.tif 000006
【図５】
2004149138.tif 000007
【図６】
2004149138.tif 000008
【図７】
2004149138.tif 000009
【図８】
2004149138.tif 000010
【図９】
2004149138.tif 000011
【図１０】
2004149138.tif 000012
【図１１】
2004149138.tif 000013
【図１２】
2004149138.tif 000014